(57)【要約】【課題】電磁リレーに衝撃が印加されたときにも、接極子のずれを防止可能なシーソー型接極子ブロックを提供する。【解決手段】本発明のシーソー型接極子ブロック２０は、永久磁石２１と、永久磁石が固着される補助継鉄２２と、補助継鉄２２に対して回転可能に軸支されたヒンジバネ２３と、ヒンジバネ２３に固定され、永久磁石２１に対して揺動可能に保持された接極子２４とを備え、ヒンジバネ２３は、接極子２４の長手方向中央で、接極子２４を回動可能に支持するとともに、接極子２４の端部近傍に曲げ部２３１Ｒを有する。【選択図】図２
2012084488.tif 000002
【特許請求の範囲】
【請求項１】
永久磁石と、
前記永久磁石が固着される補助継鉄と、
前記補助継鉄に対して回転可能に軸支されたヒンジバネと、
前記ヒンジバネに固定され、前記永久磁石に対して揺動可能に保持された接極子とを備えたシーソー型接極子ブロックであって、
前記ヒンジバネは、
前記接極子の端部近傍に曲げ部を有し、
前記接極子を回動可能に支持するように構成されたシーソー型接極子ブロック。
【請求項２】
請求項１に記載のシーソー型接極子ブロックであって、
前記ヒンジバネは前記接極子の上縁に当接するシーソー型接極子ブロック。
【請求項３】
請求項１または２に記載のシーソー型接極子ブロックであって
前記ヒンジバネは、接極子表面に当接する本体部と、前記本体部に連設された曲げ部を介して伸張し、前記補助継鉄に対して回動可能に軸支される伸張部とを具備した、
シーソー型接極子ブロック。
【請求項４】
請求項３に記載のシーソー型接極子ブロックであって
前記ヒンジバネの前記伸張部は、鋭角曲げ部を有して曲げられ、前記本体部に対してほぼ垂直な垂直部を具備し、前記垂直部が前記補助継鉄に対して回動可能に軸支された、
シーソー型接極子ブロック。
【請求項５】
請求項１乃至４のいずれか１項に記載のシーソー型接極子ブロックであって
前記ヒンジバネは、十字状の本体部を具備し、
前記本体部から、前記接極子表面上で、前記ヒンジバネの支軸に垂直な方向に沿って延在する接極子押さえ片を具備したシーソー型接極子ブロック。
【請求項６】
請求項１乃至５のいずれか１項に記載のシーソー型接極子ブロックであって
前記ヒンジバネの前記本体部は前記接極子表面と対向する領域で前記接極子表面と当接するシーソー型接極子ブロック。
【請求項７】
請求項５または６に記載のシーソー型接極子ブロックであって
前記接極子押さえ片は、前記接極子の揺動軸に垂直な方向に沿って、前記接極子押さえ片の厚さ方向に形成されたリブを有するシーソー型接極子ブロック。
【請求項８】
請求項３または４に記載のシーソー型接極子ブロックであって
前記ヒンジバネの前記伸張部は、少なくとも前記補助継鉄へのねじ止めを行うネジ部で、前記本体部よりも幅広となっているシーソー型接極子ブロック。
【請求項９】
請求項３、４および８のいずれか１項に記載のシーソー型接極子ブロックであって
前記ヒンジバネの前記伸張部はスリットを有するシーソー型接極子ブロック。
【請求項１０】
請求項１乃至９のいずれか１項に記載のシーソー型接極子ブロックと、
前記接極子によって変位可能となるように、ベースに立設され、可動接点を有する可動端子と、
固定接点を有し、前記固定接点が前記可動端子の可動接点と対向して前記ベースに立設された固定端子と、
を具備する電磁リレー。
【発明の詳細な説明】
【技術分野】
【０００１】
本発明は、接極子ブロック及びこれを用いた電磁リレーに係り、特にシーソー型接極子ブロックの構造に関する。
【背景技術】
【０００２】
上述した電磁リレーとして、例えば特許文献１に記載されたものが知られている。図１６は、従来の電磁リレーの補助継鉄１０２２付きシーソー型接極子ブロック１１２０の外観を示す斜視図である。
【０００３】
図１６に示すように、シーソー型接極子ブロック１０２０は、永久磁石１０２１と、接極子１０２４と、補助継鉄１０２２と、ヒンジバネ１０２３で構成されている。図１７は側面図、図１８（ａ）および（ｂ）は上面図および側面図である。
【０００４】
ヒンジバネ１０２３は、永久磁石１０２１、接極子１０２４及び補助継鉄１０２２を一体的に固定するものであり、例えばりん青銅などのばね性を有する金属薄板で形成され、板バネからなる十字状の本体部１２３１と、この本体部１２３１から伸張する伸張部１２３２とを具備している。そしてヒンジバネ１０２３は、接極子１０２４の長手方向中央で、接極子を回動可能に支持している。そして、このヒンジバネ１０２３は伸張部１２３２で補助継鉄１０２２に対して回動可能に軸支される。
【０００５】
これによって、永久磁石１０２１、接極子１０２４及び補助継鉄１０２２がヒンジバネ１０２３によって固定される。このとき、永久磁石１０２１と接極子１０２４とが接触し、ヒンジバネ１０２３の弾性変形により、接極子１０２４が揺動（スイング）可能となる。
【０００６】
ヒンジバネ１０２３は、例えばりん青銅などのばね性を有する金属薄板をプレス及び曲げ加工して形成されたものであり、接極子１０２４の永久磁石１０２１とは反対側の面に固定される。そしてさらにこのヒンジバネ１０２３は、所定の反発力または付勢力を発生しうるように、略Ｍ字状断面形状を有するように曲げ加工されている（図１７参照）。
【先行技術文献】
【特許文献】
【０００７】
【特許文献１】特開２００５−７１８１５号公報
【発明の概要】
【発明が解決しようとする課題】
【０００８】
しかしながら、上記Ｍ字状断面形状のヒンジバネによれば、図１７に示すように、接極子上面に対して、Ｍ字の中心で点接触し、両側では空間を有して配置されている。このため、電磁リレーに衝撃が印加されたとき、ヒンジバネがねじれ、接極子位置にずれが生じ易い。
その結果電磁吸引力が変化し、動作特性が変動してしまうという問題があった。
【０００９】
本発明は前記実情に鑑みてなされたものであり、電磁リレーに衝撃が印加されたときにも、接極子のずれを防止可能なシーソー型接極子ブロックを提供することを目的とする。
また、本発明は、電磁リレーに衝撃が印加されたときにも、接極子のずれを防止し、動作特性の優れた電磁リレーを提供することを目的とする。
【課題を解決するための手段】
【００１０】
本発明のシーソー型接極子ブロックは、永久磁石と、前記永久磁石が固着される補助継鉄と、前記補助継鉄に対して回転可能に軸支されたヒンジバネと、前記ヒンジバネに固定され、前記永久磁石に対して揺動可能に保持された接極子とを備えたシーソー型接極子ブロックであって、前記ヒンジバネは、前記接極子の端部近傍に曲げ部を有し、（前記接極子の長手方向中央で、）前記接極子を回動可能に支持するように構成されたことを特徴とする。
【００１１】
また本発明は、上記シーソー型接極子ブロックであって、前記ヒンジバネは前記接極子の上縁に当接するものを含む。
【００１２】
また本発明は、上記シーソー型接極子ブロックであって、前記ヒンジバネは、接極子表面に当接する本体部と、前記本体部に連設された曲げ部を介して伸張し、前記補助継鉄に対して回動可能に軸支される伸張部とを具備したものを含む。
【００１３】
また本発明は、上記シーソー型接極子ブロックであって、前記ヒンジバネの前記伸張部は、鋭角曲げ部を有して曲げられ、前記本体部に対してほぼ垂直な垂直部を具備し、前記垂直部が前記補助継鉄に対して回動可能に軸支されたものを含む。
【００１４】
また本発明は、上記シーソー型接極子ブロックであって、前記ヒンジバネは、十字状の本体部を具備し、前記本体部から、前記接極子表面上で、前記ヒンジバネの支軸に垂直な方向に沿って延在する接極子押さえ片を具備したものを含む。
【００１５】
また本発明は、上記シーソー型接極子ブロックであって、前記ヒンジバネの前記本体部は前記接極子表面と対向する領域で前記接極子表面と当接するものを含む。
【００１６】
また本発明は、上記シーソー型接極子ブロックであって、前記接極子押さえ片は、前記接極子の揺動軸に垂直な方向に沿って、前記接極子押さえ片の厚さ方向に形成されたリブを有するものを含む。
【００１７】
また本発明は、上記シーソー型接極子ブロックであって、前記ヒンジバネの前記伸張部は、少なくとも前記補助継鉄へのねじ止めを行うネジ部で、前記本体部よりも幅広となっているものを含む。
【００１８】
また本発明は、上記シーソー型接極子ブロックであって、前記ヒンジバネの前記伸張部はスリットを有するものを含む。
【００１９】
また本発明は、上記シーソー型接極子ブロックを使用する電磁リレーであって、前記接極子によって変位可能となるように、ベースに立設され、可動接点を有する可動端子と、固定接点を有し、前記固定接点が前記可動端子の可動接点と対向して前記ベースに立設された固定端子とを具備する。
【発明の効果】
【００２０】
本発明は、ヒンジバネは、接極子の端部近傍に曲げ部を有しているため、ヒンジバネが接極子に対してねじれを生じにくく、接極子を支持することができ、動作特性を安定に保持することができる。
【図面の簡単な説明】
【００２１】
【図１】本発明の実施の形態１に係る電磁リレーのシーソー型接極子ブロックの外観を示す斜視図，（ａ）は補助継鉄付き、（ｂ）は補助継鉄なしを示す図
【図２】本発明の実施の形態１に係る電磁リレーのシーソー型接極子ブロックの側面図
【図３】本発明の実施の形態１に係る電磁リレーの全体断面図
【図４】本発明の実施の形態１に係る電磁リレーの組み立て工程を示す図
【図５】本発明の実施の形態１に係る電磁リレーの組み立て工程を示す図
【図６】本発明の実施の形態１に係る電磁リレーの組み立て工程を示す図
【図７】本発明の実施の形態１に係る電磁リレーの組み立て工程を示す図（完成品の外観図）
【図８】本発明の実施の形態１に係る電磁リレーのヒンジバネの変形例を示す側面図
【図９】本発明の実施の形態１に係る電磁リレーのヒンジバネの変形例を示す側面図
【図１０】本発明の実施の形態２に係る電磁リレーのシーソー型接極子ブロックを示す図
【図１１】本発明の実施の形態３に係る電磁リレーのシーソー型接極子ブロックを示す図，（ｂ）は（ａ）の要部拡大図
【図１２】図１１（ｂ）のＡ−Ａ断面図
【図１３】本発明の実施の形態３に係る電磁リレーのヒンジバネの変形例を示す断面図
【図１４】本発明の実施の形態４に係る電磁リレーのシーソー型接極子ブロックを示す図
【図１５】本発明の実施の形態５に係る電磁リレーのシーソー型接極子ブロックを示す図
【図１６】従来例の電磁リレーのシーソー型接極子ブロックを示す斜視図
【図１７】従来例の電磁リレーのシーソー型接極子ブロックを示す側面図
【図１８】従来例の電磁リレーのシーソー型接極子ブロックを示す図，（ａ）は上面図、（ｂ）は側面図
【発明を実施するための形態】
【００２２】
以下、本発明を実施するための好適な実施の形態について、図面を参照して詳細に説明する。
【００２３】
（実施の形態１）
図１（ａ）および（ｂ）は、本発明の実施の形態１に係る電磁リレーのシーソー型接極子ブロックの外観を示す斜視図、図２は側面図である。図１（ａ）は、本発明の実施の形態１に係る電磁リレーのシーソー型接極子ブロックに継鉄１１を装着した状態を示し、（ｂ）はシーソー型接極子ブロックを別の方向からみた斜視図である。図３は本発明の実施の形態１の電磁リレーの全体断面図、図４乃至図７は同電磁リレーの組み立て工程を示す図である。
【００２４】
図１（ａ）および（ｂ）において、本実施の形態の電磁リレーのシーソー型接極子ブロックは、接極子を回動可能に押さえるヒンジバネ２３が、接極子２４の端部近傍に曲げ部２３１Ｒを有し、接極子２４を回動可能に支持するように構成されたことを特徴とするものである。
そしてヒンジバネ２３は、十字状の本体部２３１は接極子２４の上面２４ａに当接する平坦部２３１Ｆで構成され、この本体部２３１が、接極子２４の上面２４ａと当接し、接極子２４の端部（エッジ部）近傍に曲げ部２３１Ｒを形成して伸張部２３２で補助継鉄２２に弾性的に固定されたことを特徴とする。
すなわちこのヒンジバネ２３は、十字状の本体部２３１と、この本体部２３１から接極子２４の長手方向に沿って同一幅で伸張する伸張部２３２とを具備しており、この本体部２３１が、接極子２４の上面２４ａと対向する領域で、この上面２４ａと当接する平坦部２３１Ｆを構成し、接極子２４の端部（エッジ部）近傍に曲げ部２３１Ｒを有している。
【００２５】
このヒンジバネ２３は、例えばりん青銅などのばね性を有する金属薄板をプレス及び曲げ加工して形成される。そして、ヒンジバネ２３の本体部２３１は固定部２３４を有し、接極子２４の永久磁石２１とは反対側の面に固定される。固定部２３４には、接極子２４にそれぞれ嵌合される一対の嵌合穴Ｈ１が形成されている。また、伸張部２３２には、それぞれ補助継鉄２２と嵌合される軸受け穴Ｈ２が形成されている。さらに、ヒンジバネ２３の伸張部２３２は、鋭角曲げ部２３２Ｒを有し、本体部２３１に対してほぼ垂直な垂直部２３２Ｖを具備し、この垂直部２３２Ｖが補助継鉄２２に対して回動可能に軸支される。２３５はネジ部である。この相対向するネジ部２３５を結ぶ線を支軸Ｏとしてヒンジバネ２３は回動可能となっている。
【００２６】
なお、このヒンジバネ２３の本体部２３１は、所定の反発力または付勢力を発生しうるように、平坦部２３１Ｆの外側には曲げ部２３１Ｒが形成され、中央に平坦部を有する略Ｍ字状断面形状を有するように曲げ加工されている。
【００２７】
このようにしてヒンジバネ２３は、接極子２４の長手方向中央で、前記接極子を回動可能に支持している。そして、このヒンジバネ２３は伸張部２３２で補助継鉄２２に対して回動可能に軸支される。
【００２８】
このようにして形成された本実施の形態のシーソー型接極子ブロック２０においては、ヒンジバネ２３が、接極子２４の端部近傍に曲げ部２３１Ｒを有しているため、ヒンジバネ２３が接極子２４に対してねじれを生じることなく接極子を支持することができる。従って電磁吸引力を安定に維持することができる。
【００２９】
ところで本実施の形態のシーソー型接極子ブロックを用いた電磁リレー１は、図３に示すように、電磁石ブロック１０と、上記シーソー型接極子ブロック２０と、可動接点ブロック３０と、固定接点ブロック４０とを具備している。各ブロックは、それぞれあらかじめ組み立てられ、ブロック化されており、絶縁性樹脂で形成されたベース２上に配置されている。また、シーソー型接極子ブロック２０と可動接点ブロック３０は、リンク部材５０によりリンクされている。
【００３０】
本実施の形態の電磁リレー１は、この接極子２４によって変位可能となるように、ベース２に、相対向して立設された可動接点ブロック３０と固定接点ブロック４０とを具備している。可動接点ブロック３０は、板バネ３２と、この板バネ３２に配設された可動接点３３を有する。そして固定接点ブロック４０は、板バネ４２に固定接点４３を有し、この固定接点４３がこの可動接点ブロック３０の可動接点３３と対向しており、入力信号に応じた、信号が出力される。３はケース、３１は可動接点端子、４１は固定接点端子である。
【００３１】
次に、本実施の形態におけるシーソー型接極子ブロック２０の詳細について説明する。  シーソー型接極子ブロック２０は、略直方体状の永久磁石２１と、永久磁石２１が固着される補助継鉄２２と、補助継鉄２２に対して回転可能に軸支されたヒンジバネ２３と、ヒンジバネ２３に固定され、永久磁石２１に対して揺動可能に保持された接極子２４などで構成されている。
【００３２】
そして補助継鉄２２は、例えば軟磁性鉄板などをプレス及び曲げ加工して形成された板状体であり、永久磁石２１に吸着され、電磁石ブロック１０の略コの字状の継鉄１１上に載置される。
【００３３】
接極子２４は、例えば軟磁性鉄板などをプレス加工して形成された略長方形の板状体で構成されている。
【００３４】
電磁リレー１の組み立て方法について、図４から図７を参照しつつ説明する。
まず、図４に示すように、ベース２上に電磁石ブロック１０を固定し、さらに、電磁石ブロック１０に隣接するようにシーソー型接極子ブロック２０を取り付ける。
次に、図５に示すように、可動接点ブロック３０及び固定接点ブロック４０を取り付ける。
さらに、図６に示すように、リンク部材５０をシーソー型接極子ブロック２０と可動接点ブロック３０に連結し、ケース３をベース２に被せる。
これにより、図７に示すように電磁リレー１が完成する。
【００３５】
図４に示すように、電磁石ブロック１０は、略コの字状断面を有する継鉄１１と、継鉄１１と一体的にインサート成形されたボビン１２と、ボビン１２に巻回されたコイル１３などで構成されている。なお、符号１４はコイルの端子を示す。継鉄１１の両端１１ａ及び１１ｂは、それぞれ略Ｔ字状に形成され、かつ、同じ方向に平行に突出している。
【００３６】
図４乃至６に示すように、可動接点ブロック３０は、金属板を所定形状に折り曲げて形成された可動接点端子３１と、ばね性を有する金属薄板で形成された板バネ３２と、金属製の可動接点３３などで構成されている。さらに、板バネ３２の先端には、リンク部材５０と係合される突部が形成されている。また、固定接点ブロック４０は、金属板を所定形状に折り曲げて形成された固定接点端子４１と、ばね性を有する金属薄板で形成された板バネ４２と、金属製の固定接点４３などで構成されている。
【００３７】
また、このようにして形成された本実施の形態のシーソー型接極子ブロック２０においては、ヒンジバネ２３が、本体部では平坦部２３１Ｆで面接触し、接極子２４の端部近傍に曲げ部２３１Ｒを有し、弾性的に接極子２４を支持している。このため、ヒンジバネ２３が接極子２４に対してねじれを生じることなく接極子を支持することができ、電磁リレーを構成するシーソー型接極子ブロックの動作特性を安定に維持することができる。
【００３８】
上記構成によれば、ヒンジバネ２３は接極子２４の上面２４ａに当接しているため、図１７に示した従来例のＭ字状のヒンジバネに比べて安定に、ねじれなく接極子を支持することができる。
【００３９】
また上記構成によれば、ヒンジバネ２３は、接極子２４表面に当接する本体部２３１と、本体部２３１に連設された曲げ部２３１Ｒを介して伸張し、補助継鉄２２に対して回動可能に軸支される伸張部２３２とを具備しているため、Ｍ字状のヒンジバネに比べて安定に、ねじれなく接極子を支持することができる。
【００４０】
また上記構成によれば、ヒンジバネ２３の伸張部２３２は、鋭角をなして曲げられ、本体部２３１に対してほぼ垂直な垂直部２３２Ｖを具備し、垂直部２３２Ｖがネジ部２３５により補助継鉄２２に対して回動(揺動)可能に軸支されているため、ねじれを生じることなく、弾性的に、補助継鉄に対して接極子を指示することができ、電磁吸引力を安定に維持することができる。
【００４１】
なお、前記実施の形態１ではヒンジバネ２３の曲げ部２３１Ｒは接極子２４の上縁２４Ｅに沿って形成されたが、図８に示すように曲げ部２３１Ｒが接極子２４の上縁２４Ｅよりも外側に位置するようにしてもよい。つまりヒンジバネ２３の本体部２３１は接極子表面２４ａと対向する領域で接極子表面と当接するように構成されている。
この構成によれば、ヒンジバネの曲げ精度がばらついた場合にも、ヒンジバネ２３の平坦部２３１Ｆが十分大きいため、より確実に接極子２４を支持することができる。
【００４２】
また、図９に示すように曲げ部２３１Ｒが接極子２４の上縁２４Ｅよりも内側に位置するようにしてもよい。
この構成によれば、接極子２４の上縁が成形工程でラウンド形状となった場合にも、より確実に接極子２４を支持することができる。
【００４３】
（実施の形態２）
次に、本発明の実施の形態２について説明する。
本実施の形態では、前記実施の形態１のヒンジバネに加えて、図１０に示すように、本体部２３１から、接極子２４表面上で、ヒンジバネ２３の支軸に垂直な方向に沿って延在する接極子押さえ片２３３とを具備したことを特徴とする。この接極子押さえ片２３３は、本体部２３１の固定部２３４の両側にそれぞれ一対の接極子押さえ片２３３が配設されている。他は前記実施の形態１と同様であるため、ここでは説明を省略する。
この構成によれば、接極子押さえ片２３３によって、より確実に接極子を支持するため、ねじれの発生をさらに抑制することができる。なお、この接極子押さえ片２３３は必ずしも両側に形成しなくてもよい。さらにまた形状も適宜変形可能である。
【００４４】
（実施の形態３）
次に、本発明の実施の形態３について説明する。
本実施の形態では、前記実施の形態２のヒンジバネに加えて、図１１（ａ）および（ｂ）に示すように、接極子押さえ片２３３にリブ２３３Ｒを形成したことを特徴とする。図１１（ｂ）は図１１（ａ）の要部拡大図である。図１２は図１１（ｂ）のＡ−Ａ断面図である。他は前記実施の形態１および２と同様であるため、ここでは説明を省略する。
このように、本実施の形態においては、本体部２３１から、接極子２４表面上で、ヒンジバネ２３の支軸に垂直な方向に沿って延在する接極子押さえ片２３３がリブ２３３Ｒを有しているため、強度を高め、より信頼性の高い支持が可能となる。このリブ２３３Ｒは、接極子２４の揺動軸ＯＬに垂直な方向に沿って、接極子押さえ片２３３の厚さｔ方向に形成されている。
【００４５】
なお、このリブは上に凸状となるように形成されているが、図１３に変形例を示すように、下に凸状となるように形成してもよい。このリブ２３３Ｒも、接極子２４の揺動軸ＯＬに垂直な方向に沿って、接極子押さえ片２３３の厚さｔ方向に形成されている。
いずれの場合もプレス加工によって形成することができるため、製造が容易である。
【００４６】
（実施の形態４）
次に、本発明の実施の形態４について説明する。
以上の実施の形態では、ヒンジバネ２３の本体部は十字状に形成したが、図１４に示すように、本体部２３１を幅広の帯状体で構成したことを特徴とする。なお、平坦部２３１Ｆと曲げ部２３１Ｒとを有する点は前記実施の形態１のシーソー型接極子ブロックのヒンジバネと同様であるが、本実施の形態では、装着時に装着し易くするために、スリットＳを形成したことを特徴とする。他は前記実施の形態１と同様であるため、ここでは説明を省略する。
このスリットは、曲げ部２３１Ｒよりも外側の伸張部２３２にのみ形成するのが望ましい。これにより、支持性を維持しつつ、弾性度を高めることができる。
なお、前記実施の形態１乃至３においても本実施の形態と同様、ヒンジバネの本体部または伸張部にスリットを形成することで弾性度を高めることができる。
【００４７】
（実施の形態５）
次に、本発明の実施の形態５について説明する。
以上の実施の形態では、ヒンジバネ２３の本体部２３１から伸張する伸張部２３２は同一幅で伸張するように形成したが、図１５に示すように、本体部２３１では幅が狭く、固定部となる伸張部２３２で幅広となるように構成してもよい。この場合にも、接極子２４との当接面では平坦部２３１Ｆを構成し、接極子２４の上縁２４Ｅで曲げ部２３１Ｒを構成することで、より支持性を高めることが可能となる。他は前記実施の形態１と同様であるため、ここでは説明を省略する。
この構成によっても、確実に接極子を支持するため、ねじれの発生をさらに抑制することができる。
なお、前記実施の形態１乃至４の構成においても本実施の形態と同様、ヒンジバネの本体部では幅が狭く、伸張部で幅広となるように構成してもよい。
【符号の説明】
【００４８】
１  電磁リレー
２  ベース
３  ケース
１０  電磁石ブロック
１１  継鉄
２０  シーソー型接極子ブロック
２１  永久磁石
２２  補助継鉄
２３  ヒンジバネ
２３１  本体部
２３１Ｒ  曲げ部
２３１Ｆ  平坦部
２３２  伸張部
２３３  接極子押さえ片
２３３Ｒ  接極子押さえ片のリブ
２３４  固定部
２３５  ネジ部
２４  接極子
２４ａ  接極子表面(上面)
２４Ｅ  上縁
３０  可動接点ブロック
３１  可動接点端子
３２  板バネ
３３  可動接点
４０  固定接点ブロック
４１  固定接点端子
４２  板バネ
４３  固定接点
５０リンク部材
Ｈ１  嵌合穴
Ｈ２  軸受け穴
ＯＬ  接極子の揺動軸
Ｏ  支軸
【図１】
2012084488.tif 000003
【図２】
2012084488.tif 000004
【図３】
2012084488.tif 000005
【図４】
2012084488.tif 000006
【図５】
2012084488.tif 000007
【図６】
2012084488.tif 000008
【図７】
2012084488.tif 000009
【図８】
2012084488.tif 000010
【図９】
2012084488.tif 000011
【図１０】
2012084488.tif 000012
【図１１】
2012084488.tif 000013
【図１２】
2012084488.tif 000014
【図１３】
2012084488.tif 000015
【図１４】
2012084488.tif 000016
【図１５】
2012084488.tif 000017
【図１６】
2012084488.tif 000018
【図１７】
2012084488.tif 000019
【図１８】
2012084488.tif 000020